(57)【要約】      （修正有）【課題】一本の操作レバーで３種類以上の負荷の切り換えを行うことができるトグルスイッチを提供する。【解決手段】操作レバーと、該操作レバーが上方から内部に挿通されたハウジング１と、該ハウジングの内部底面に設けられた共通固定接点４０及び複数の選択固定接点４１〜４４と、該複数の選択固定接点４１〜４４のいずれかを選択的に共通固定接点４０に接続する揺動自在な可動接触片とを備え、操作レバーは可動接触片を揺動させることができるように中間部を支点として傾動自在に設けられたトグルスイッチにおいて、選択固定接点４１〜４４を、一端が共通固定接点４０の中心で交わる少なくとも３本の線上に、共通固定接点４０を囲むように、１個ずつ配置した。【選択図】図２
0003211987.tif 000002
【実用新案登録請求の範囲】
【請求項１】
操作レバーと、該操作レバーが上方から内部に挿通されたハウジングと、該ハウジングの内部底面に設けられた共通固定接点及び複数の選択固定接点と、該複数の選択固定接点のいずれかを選択的に前記共通固定接点に接続する揺動自在な可動接片とを備え、前記操作レバーは前記可動接触片を揺動させるようにその中間部を支点として傾動自在に設けられたトグルスイッチにおいて、前記選択固定接点を、一端が前記共通固定接点の中心で交わる少なくとも３本の線上に、該共通固定接点を囲むように、1個ずつ配置したことを特徴とするトグルスイッチ。
【請求項２】
前記可動接触片は、前記共通固定接点の中心で交わる前記選択固定接点が配置された線に沿って延出する延出部を有し、各前記選択固定接点を覆う形状に形成されている請求項１に記載のトグルスイッチ。
【請求項３】
前記操作レバーは、前記可動接触片の中心部を基準として前記延出部の延出方向とは反対方向に傾動自在に構成されている請求項２に記載のトグルスイッチ。
【考案の詳細な説明】
【技術分野】
【０００１】
本考案は、より多くの切換操作を可能にするトグルスイッチに関する。
【背景技術】
【０００２】
トグルスイッチは、レバーを異なる方向に傾動させることでＯＮ−ＯＦＦの切替えやＯＮ−ＯＮの負荷の切換えをすることができ、一般に広く利用されている。トグルスイッチの一例を特許文献１に示す。しかし、従来のトグルスイッチは、１回路における選択固定接点数は２個、ＯＦＦを加えても３個に制限される。従って、切り換え可能な負荷の数は最大２種類乃至２段階に限定されている。１回路における接点数を３個以上にするには、ロータリースイッチにすればよいが、ロータリースイッチは、共通端子と接続する選択端子の接点を切り換える順序が決められており、可動接点を隣接していない離れた位置にある選択固定接点に直に接続させることはできず、必ず一定の順序・段階での切り換えを強いられる。ロータリースイッチの一例を特許文献２に示す。
【先行技術文献】
【特許文献】
【０００３】
【特許文献１】特開２０１１−１８７３４７
【特許文献２】特開平５−１０１７４５
【考案の概要】
【考案が解決しようとする課題】
【０００４】
本考案が解決しようとする課題は、１回路で３個以上の選択固定接点を有し、構造が簡単なトグルスイッチを提供することにある。
【課題を解決するための手段】
【０００５】
本考案に係るトグルスイッチは、操作レバーと、該操作レバーが上方から内部に挿通されたハウジングと、該ハウジングの内部底面に設けられた共通固定接点及び複数の選択固定接点と、該複数の選択固定接点のいずれかを選択的に前記共通固定接点に接続する揺動自在な可動接触片とを備え、前記操作レバーは前記可動接触片を揺動させることができるように中間部を支点として傾動自在に設けられたトグルスイッチにおいて、前記選択固定接点を、一端が前記共通固定接点の中心で交わる少なくとも３本の線上に、該共通固定接点を囲むように、1個ずつ配置したことを特徴とする。
【０００６】
前記可動接触片は、一端が前記共通固定接点の中心で交わる前記選択固定接点が配置された前記少なくとも３本の線に沿って延出する延出部を有し、各前記選択固定接点を覆う形状に形成されている。
【０００７】
前記操作レバーは、前記可動接触片の中心部を基準として前記延出部の延出方向とは反対方向に傾動自在に構成されている。
【考案の効果】
【０００８】
本考案に係るトグルスイッチによれば、一本の操作レバーで１回路につき３種類以上の負荷の切り換えを行うことができる。しかも、負荷の切り換えは一定の順序や段階に制約されることなく、３種類以上の負荷のいずれにも直に切り換えることができる。これにより、３種類以上の負荷を様々に組み合わせることができるため、水・油等の液体や空気・酸素等の気体に関する量、圧力、温度、粘度などの切り換え、音・光・電波・電気・磁気等の伝播要素に関する量、強弱、広がり域などの切り換え等、従来のトグルスイッチでは困難であった様々な要素の使用における多様な負荷の切り換えを１本の操作レバーで実現することができる。
【図面の簡単な説明】
【０００９】
【図１】本考案によるトグルスイッチの一実施形態を示す縦断面図で、操作レバーのみ一部を断面にしてある。
【図２】図１に示すトグルスイッチのハウジング内部における固定接点の配置を示す平面図である。
【図３】図１に示すトグルスイッチの可動接触片の平面図である。
【図４】図１に示すトグルスイッチの共通固定接点の一部をなす可動接片受けを示し、（ａ）は正面図、（ｂ）は側面図である。
【図５】図１に示すトグルスイッチの操作レバーを傾動させて可動接片が一つの選択固定接点と共通固定接点と接続した状態を示す縦断面図である。
【図６】図１に示すトグルスイッチのハウジングの外部底面における端子の配置を示す底面図である。
【図７】図１に示すトグルスイッチの操作レバー案内孔を有するハウジングのカバー板の平面図である。
【考案を実施するための形態】
【００１０】
次に、添付図面を参照して、本考案に係るトグルスイッチの実施例について説明する。
【実施例】
【００１１】
図１は、本考案に係るトグルスイッチの縦断面図が示すが、この図を見る限りでは一般的なトグルスイッチの縦断面図と変わりがない。即ち、ハウジング１の内部底面上には固定接点４が配置されており、操作レバー２がハウジング１の上面を覆うカバー板３を貫通してハウジング１の内部に延びている。操作レバー２の先端からは、レバー本体内部に収納された弾発部材２１を介して伸縮自在にロッド２２が突出している。伸縮ロッド２２の先端とハウジング１の内部底面上に位置する固定接点４との間に可動接触片５が設けられている。可動接触片５はその中央部５ａが下方に突出するように屈曲されており、この可動接触片５の下方に突出した中央部５ａがハウジング１の底面の中央に位置する共通固定接点４０上に載置されて中央部５ａ近傍で固定接点４０と常時接している。
【００１２】
可動接触片５は、操作レバー２が直立した状態において、延出部５ｂが斜め上向きに外方（図中左右方向）へ延出し、下方に突出した中央部５ａを支点として揺動自在に構成されている。延出部５ｂは、ハウジング１の底面の外方に位置する選択固定接点４（図１には４１，４２のみが示されている）を覆うように、その上方に離間した位置まで延出した延出端に可動接点６（図１には６１，６２のみが示されている）を備えている。操作レバー２は、中間部をブッシング７に固定支持されることにより傾動自在に構成されている。操作レバー２が傾動すると、伸縮ロッド２２が可動接触片５上を中央部分からいずれかの延出端方向に滑動して延出部５ｂを押し下げ、可動接点６（６１又は６２）を選択固定接点４（４１又は４２）に接触させる。
【００１３】
操作レバー２が図示された直立状態においては、可動接点６（６１又は６２）は選択固定接点４（４１，４２）に接触していないため、選択固定接点４（４１，４２）が接続された負荷回路はいずれもＯＦＦである。操作レバー２が傾動して可動接点６（６１又は６２）がいずれかの選択固定接点４（４１又は４２）に接触すると、接触された固定接点４（４１又は４２）が接続している負荷回路はＯＮになる。
【００１４】
図２は、図１のトグルスイッチのハウジング１内における固定接点６の平面的な配置を示しており、本考案の特徴を示す一例が示されている。一般的なトグルスイッチと異なり、図示実施例において、固定接点４は１個の共通固定接点４０と４個の選択固定接点４１，４２，４３，４４とからなる。これらの選択固定接点４１，４２，４３，４４は、共通固定接点４０の中心Ｏを通り相互に十字に交差する２本のａ1―ａ2線とｂ1−ｂ2線の線上に、言い換えると、一端が共通固定接点４０の中心Ｏで交わるＯ−ａ１、Ｏ−ａ２、Ｏ−ｂ１、Ｏ−ｂ２の４本の線上に、共通固定接点４０を囲むように1個ずつ配置されている。
【００１５】
上記実施例においては、選択固定接点を４個にした例について説明したが、本考案においては、選択固定接点を３個以上使用する例を種々考えることができる。例えば、選択固定接点を３個にするときは、一端が共通固定接点４０の中心Ｏで交わるＹ字形をなす線、例えば、Ｏ―ｄ1、Ｏ―ｃ1、Ｏ―ａ2の各線上に配置すればよい。また、選択固定接点を５個にするときは一端が共通固定接点４０の中心Ｏで交わる星形をなす線例えば、Ｏ―ａ1、Ｏ―ｂ1、Ｏ―ｂ2、Ｏ―ｃ2、Ｏ―ｄ2の各線上に配置すればよい。選択固定接点を６個や７個にすることも同様に可能なことは容易に理解できよう。また、共通固定接点４０の中心Ｏで交わる線同士の交差角度は図示実施態様に限られることなく、操作レバー２の操作性などを考慮して任意に設定することができる。
【００１６】
図３は、図２に示された実施例における可動接触片５の平面形状を示す。操作レバー２がいずれかの方向に傾動したときに、可動接点６の一つ６１，６２，６３又は６４がハウジング１内底面の対応する選択固定接点４１，４２，４３又は４４に接触するように、可動接触片５には、全ての選択固定接点４１，４２，４３，４４を覆う延出部５１，５２，５３，５４が形成されており、本実施例においては平面視で十字形を呈している。可動接触片５の平面形状は選択固定接点の数に応じて変わる。例えば、選択固定接点が３個のときはＹ字形であり、選択固定接点が５個のときは星形に、選択固定接点が６個のときは中央部５０から６方向に延びる延出部を有する形状になる。
【００１７】
図４は、共通固定接点４０の詳細を示すものであり、（ａ）は図１に示されているのと同様の共通固定接点４０の正面を示し、（ｂ）はその側面を示している。共通固定接点４０は、図４（ａ）から明らかなように、正面視でＵ字形に曲げられて一対の側壁４０１を有しており、両側壁４０１には図４（ｂ）に示されるように上端に凹部４０２が形成されている。共通固定接点４０上に載置される可動接触片５は、延出部５１，５２又は５３，５４が凹部４０２内に収まるように形成されている。共通固定接点４０に凹部４０２を有する両側壁４０１を設けることにより、可動接触片５を共通固定接点４０上で位置ずれを起こすことなく凹部４０２内に安定して保持することができる。また、可動接触片５を両側壁４０１を介してハウジング１の底面から間隔をあけた高い位置で保持することにより、可動接触片５の延出部５１，５２又は５３，５４がハウジング１の底部平面となす角度を小さくしつつ、可動接点６１，６２，６３，６４と選択固定接点４１，４２，４３，４４間の間隔を大きくして、誤作動の無い両者間の確実な離接を実現している。
【００１８】
図５は、図１と同様の縦断面図であるが、操作レバー２が傾動した状態を示しており、伸縮ロッド２２が可動接触片５上を図３に示される中央部５０から延出部５２の延出方向に沿って滑動してその延出部５２を押し下げ、可動接点６２を選択固定接点の一つである接点４２と接触させている。これにより選択固定接点４２が接続している所定の負荷回路がＯＮになる。このとき操作レバー２は、伸縮ロッド２２が滑動する可動接触片５の延出部５２の延出方向とは反対方向に傾動していることになる。
【００１９】
図６は、ハウジング１の外部底面の端子の配置を示している。共通端子８０は図２に示される共通固定接点４０と接続しており、端子８１、８２、８３、８４はそれぞれ図２の選択固定接点４１、４２、４３，４４と接続している。かくして、例えば、図５に示されるように操作レバー２が傾動操作されて、可動接触片５により可動接点６２が選択固定接点４２に接触すると共通端子８０と端子８２間が閉じられて、端子８２が接続している所定の負荷を有する不図示の負荷回路がＯＮになる。
【００２０】
図７は、操作レバー２の案内孔３０を有するハウジング１のカバー板３の平面視を示す。例えば、操作レバー２が案内路３１に案内されて図中右方向に傾動すると、図５に示されるように、操作レバー２から突出している伸縮ロッド２２が可動接触片５上を延出部５２の延出方向に滑動して延出部５２を押し下げ、可動接点６２を選択固定接点の一つである接点４２と接触させる。図示実施例では、図２に示されるように、選択固定接点４１，４２，４３，４４が共通固定接点４０の中心Ｏで相互に十字に交差する２本の線上に配置されているため、案内孔３０は十字形に形成されている。ただ、この案内孔３０の形状は選択固定接点の個数と配置に対応させる必要があるため、可動接触片５の平面形状に応じた形状になる。例えば、選択固定接点が３個のときはＹ字形にし、選択固定接点が５個のときは星形に、選択固定接点が６個のときは中央部５０から６方向に延びる延出部を有する形状になる。
【００２１】
なお、案内孔３０の平面形状は可動接触片５の平面形状と厳密な意味で同一ではない。それは、操作レバー２が傾動する方向は、伸縮ロッド２２が可動接触片５の、例えば、図３の延出部５２上を図中左方向に活動するとき、操作レバー２は案内孔３０の案内路３１に案内されて７図中右方向に傾動するからである。即ち、案内孔３０は、その案内路３１，３２，３３，３４が、可動接触片５の中心部５０を基準として延出部５１，５２，５３，５４の延出方向とは反対方向に延出するように形成される。この案内孔３０と可動接触片５の平面形状の違いは、図示実施例では明らかにならないが、選択固定接点を３個や５個の奇数個にし、可動接触片５の平面形状をＹ形や星形にしたときに明らかになる。
【００２２】
本考案に係るトグルスイッチは、従来のトグルスイッチでは対応することができない多様な負荷の切り換えに対応することができ、しかも、ロータリースイッチのように一定の順序を経なければ任意に選択する負荷回路を起動できないのではなく、ＯＦＦ位置から直に任意に選択する負荷回路をＯＮさせることができる。図示実施例に示された４種類の負荷の切り換えに使用されるトグルスイッチの負荷切り換え例を表１に示す。表１において、０は負荷回路のＯＦＦを示し、１は負荷回路１のＯＮ、２は負荷回路２のＯＮ、３は負荷回路３のＯＮ、４は負荷回路４のＯＮを示す。
【００２３】
【表１】
0003211987.tif 000003
【００２４】
図示実施例に示されたトグルスイッチの負荷切換パターンは表1に示すものに限らない。Ｎｏ．５〜１６の負荷切換パターンを二つ種々組合せることにより、ここに示されていない負荷切換パターンも考え得る。選択固定接点の数を４個以上、例えば５個にすれば負荷切換パターンは図示実施例より多くなる。選択固定接点の数を４個以下、例えば３個にすれば負荷切換パターンは図示実施例より少なくなるが、それでも、３個以上であれば、従来のトグルスイッチでは困難であった様々な多種多様な負荷の切り換えを１本の操作レバーで実現することができることに変わりはない。
【符号の説明】
【００２５】
１…ハウジング
２…操作レバー
３…カバープレート
４…固定接点
５…可動接触片
６（６１，６２，６３，６４）…可動接点
７…ブッシング
８…端子
４０…共通固定接点
４１，４２，４３，４４…選択固定接点
８０…共通端子
８１、８２、８３、８４…端子  
【図１】
0003211987.tif 000004
【図２】
0003211987.tif 000005
【図３】
0003211987.tif 000006
【図４】
0003211987.tif 000007
【図５】
0003211987.tif 000008
【図６】
0003211987.tif 000009
【図７】
0003211987.tif 000010
【手続補正書】
【提出日】平成29年6月21日(2017.6.21)
【手続補正１】
【補正対象書類名】実用新案登録請求の範囲
【補正対象項目名】請求項１
【補正方法】変更
【補正の内容】
【請求項１】
操作レバーと、該操作レバーが上方から内部に挿通されたハウジングと、該ハウジングの内部底面に設けられた共通固定接点及び複数の選択固定接点と、該複数の選択固定接点のいずれかを選択的に前記共通固定接点に接続する揺動自在な可動接触片とを備え、前記操作レバーは前記可動接触片を揺動させるようにその中間部を支点として傾動自在に設けられたトグルスイッチにおいて、前記選択固定接点を、一端が前記共通固定接点の中心で交わる少なくとも３本の線上に、該共通固定接点を囲むように、1個ずつ配置したことを特徴とするトグルスイッチ。